(57)【要約】【課題】  本発明は釣具に関し、釣用仕掛けの釣糸取付孔に釣糸を通す際に、別途釣糸通し具等を必要とせずワンタッチで簡単に釣糸を通すことができると共に、作業時に誤って釣用仕掛けを落下させてしまう虞のない釣具を提供することを目的とする。【解決手段】  請求項１に係る釣具は、基体に釣用仕掛けを保持すると共に、釣用仕掛けの釣糸取付孔に釣糸挿通部を設けた線状部材を挿通させたことを特徴とし、請求項２に係る発明は、請求項１に記載の釣具に於て、線状部材の少なくとも一端側を基体に保持したことを特徴とする。  そして、請求項３に係る発明は、請求項１または請求項２に記載の釣具に於て、釣用仕掛けは基体に複数保持され、総ての釣用仕掛けの釣糸取付孔に線状部材を連続して挿通させたことを特徴とする。【選択図】    図２
2006345763.tif 000002
【特許請求の範囲】
【請求項１】
基体に釣用仕掛けを保持すると共に、釣用仕掛けの釣糸取付孔に、釣糸挿通部を設けた線状部材を挿通させたことを特徴とする釣具。
【請求項２】
線状部材の少なくとも一端側を、基体に保持したことを特徴とする請求項１に記載の釣具。
【請求項３】
釣用仕掛けは基体に複数保持され、総ての釣用仕掛けの釣糸取付孔に、線状部材を連続して挿通させたことを特徴とする請求項１または請求項２に記載の釣具。
【請求項４】
基体に保持された釣用仕掛けは、基体からの引抜き操作でその保持が解除されると共に、引抜き操作に伴い、釣糸取付孔から線状部材が外れることを特徴とする請求項１乃至請求項３のいずれか１項に記載の釣具。
【発明の詳細な説明】
【技術分野】
【０００１】
本発明は、釣用仕掛けの釣糸取付孔に釣糸を通す際に、釣用仕掛けを落とすことなく簡単に糸通し作業を行うことのできる釣具に関する。
【背景技術】
【０００２】
従来から釣人は、目的の魚を釣るために釣針，ルアー，重り，よりもどし，浮子，浮子環，その他仕掛けに用いる小物類等の様々な釣用仕掛け（以下、「仕掛け」という）を組み合わせて釣糸に取り付け、必要な仕掛けを自分で作っている。
そして、これら仕掛けが収納，掛止されたパッケージや台紙から必要な仕掛けを取り出して、釣行に当たり事前に或いは釣場で釣糸を取り付ける作業をしている。
【０００３】
ところで、このような仕掛けは釣糸に取り付けるため、釣糸を通す釣糸取付孔が設けられたものが多いが、仕掛けの機能上、釣糸取付孔は極めて小さく、目の弱い人や暗い釣場では釣糸取付孔に釣糸を通すことが非常に難しかった。
また、一方で特許文献１には、図７及び図８に示すように前後に菱形部１とこれよりやや長い直線部３を有すると共に後端を線保持体５に固定した針穴通し線７に、菱形部１と略同長の線貫通管９を前後に移動可能に嵌合した釣糸通し具１１が提案されている。
【０００４】
而して、この釣糸通し具１１によれば、図９の如く線貫通管９を前方へ移動させて、菱形部１の前半分を線貫通管９から突出させた状態で菱形部１の先端を釣針の釣糸取付孔に通し、この後、線貫通管９を後退させ乍ら、菱形部１全体を釣糸取付孔を通過させて図７の如く線貫通管９を直線部３に配置し、最後に菱形部１に釣糸の端部を挿入して釣糸取付孔から菱形部１を引き抜けば、釣糸取付孔に釣糸が通ることとなる。
【特許文献１】特開２００１−３４６４９０号公報
【発明の開示】
【発明が解決しようとする課題】
【０００５】
しかし乍ら、パッケージや台紙から取り出した釣針に上記釣糸通し具１１を用いて釣糸を通す場合、小さな釣糸取付孔に菱形部１の先端を通す必要があるため、目の弱い人にとって、また、暗い釣場での作業は依然として容易ではない。
また、釣針を始め、重りやよりもどし，浮子環等、この種の仕掛けは小物が多いため、これらを一方の手の指先で掴み、他方の手で釣糸通し具１１を握って釣糸の糸通し作業を行っている際に、仕掛けを落としてしまうことがあり、釣場での作業では、落とした仕掛けが岩の隙間等に入り込んで紛失してしまうこともある。
【０００６】
更にまた、釣糸通し具１１を釣場に持ってくるのを忘れた場合、もはや釣場で釣糸通し具１１による糸通し作業ができないことは勿論、釣糸取付孔に釣糸を通した後、釣糸通し具１１自体をポケット等にしまう必要があるが、釣糸を通した仕掛けに気を取られて釣糸通し具１１をポケットにしまい損ねてしまったり、ポケットに入れたつもりで誤って落としてそのまま紛失してしまう虞もある。
【０００７】
本発明は斯かる実情に鑑み案出されたもので、仕掛けの釣糸取付孔に釣糸を通す際に、別途釣糸通し具等を必要とせずワンタッチで簡単に釣糸を通すことができると共に、作業時に誤って仕掛けを落下させてしまう虞のない釣具を提供することを目的とする。
【課題を解決するための手段】
【０００８】
斯かる目的を達成するため、請求項１に係る釣具は、基体に仕掛けを保持すると共に、仕掛けの釣糸取付孔に、釣糸挿通部を設けた線状部材を挿通させたことを特徴とする。
そして、請求項２に係る発明は、請求項１に記載の釣具に於て、線状部材の少なくとも一端側を基体に保持したことを特徴とし、請求項３に係る発明は、請求項１または請求項２に記載の釣具に於て、仕掛けは基体に複数保持され、総ての仕掛けの釣糸取付孔に線状部材を連続して挿通させたことを特徴とする。
【０００９】
更に請求項４に係る発明は、請求項１乃至請求項３のいずれか１項に記載の釣具に於て、基体に保持された仕掛けは、基体からの引抜き操作でその保持が解除されると共に、引抜き操作に伴い、釣糸取付孔から線状部材が外れることを特徴とする。
【発明の効果】
【００１０】
各請求項に係る発明によれば、基体に仕掛けが保持されている状態で、線状部材の釣糸挿通部に釣糸を挿通して仕掛けを基体から取り外すだけのワンタッチ操作で釣糸取付孔にに釣糸を通すことができるので、従来に比し目の弱い人にとって、また、暗い釣場での作業でも簡単に釣糸を釣糸取付孔に通すことができると共に、釣糸取付孔に釣糸が通るまでは釣糸取付孔に線状部材が挿通しているため、糸通し作業時に仕掛けを落として紛失してしまう虞もない。
【００１１】
また、従来、釣糸通し具が知られているが、この釣糸通し具を忘れてきた場合、もはや釣場で釣糸通し具による糸通し作業ができないが、本発明は斯様な釣糸通し具等の道具を別途必要とせず、基体からの仕掛けの取り外しというワンタッチ操作で釣糸を簡単に通すことができる利点を有する。
【発明を実施するための最良の形態】
【００１２】
以下、本発明の実施形態を図面に基づいて詳細に説明する。
図１は請求項１乃至請求項４の第一実施形態に係る釣具を示し、図に於て、１５は紙や合成樹脂等で形成された薄肉な板状の台紙（基体）で、台紙１５は側面視Ｖ字状に折り曲げられて、その折曲げ部１７に、近接して並列する一対の半円状の孔１９，２１が所定の間隔を置いて３箇所に設けられており、孔１９，２１間に位置する保持部２３に、ジグヘッド（仕掛け）２５のフック２７が係止できるようになっている。そして、図２に示すように、保持部２３に係止したジグヘッド２５をそのまま下方へ引っ張ると、保持部２３がフック２７で切断されて、ジグヘッド２５が台紙１５から１つずつ取り外せるようになっている。
【００１３】
そして、球状に形成されたジグヘッド２５のラウンドヘッド２９に、夫々、リング３１が取り付いてラインアイ（釣糸取付孔）３３が設けられているが、保持部２３に係止された３個のジグヘッド２５のラインアイ３３に、１つの線状部材３５が連続して挿通している。
図１に示すように線状部材３５は、合成樹脂や金属で形成された１本の釣糸の如き線材３７を真ん中で折り返し、両端を結びこぶ３９で連結してこれを細長くした形状をなし、その中が釣糸５３を挿通できる釣糸挿通部４１となっている。
【００１４】
そして、上述したように線状部材３５は、保持部２３に係止された３個のジグヘッド２５のラインアイ３３に連続して挿通されて、結びこぶ３９側の一端が台紙１５の一側側表面に粘着テープ４３で止着され、線状部材３５の他端側、即ち、線状部材３５の折返し部４５側は自由端として、台紙１５の他側側に切れ込み４７を入れて設けた保持突片４９に係脱可能に保持（仮止め）されている。そして、本実施形態に係る釣具５１は、図１に示す状態でパッケージに包装されて店頭で販売されるようになっている。
【００１５】
尚、台紙１５への結びこぶ３９側の止着は、粘着テープ４３の他、接着やホチキス等の止着片を用いてもよく、以下に述べる釣糸５３の糸通し作業時に、台紙１５から取れないようになっている。
而して、上記釣具５１を用いてジグヘッド２５のラインアイ３３に釣糸５３を通すには、図２に示すように先ず、保持突片４９から線状部材３５の折返し部４５を外す。この時、線状部材３５をラインアイ３３から引き抜いてはいけない。
【００１６】
そして、折返し部４５に近いジグヘッド２５と当該折返し部４５の間の釣糸挿通部４１に釣糸５３の一端を挿通して、当該ジグヘッド２５を図２の如くそのまま下方へ引っ張ればよく、保持部２３がフック２７で切断されてジグヘッド２５が台紙１５から外れ、これに伴い、線状部材３５は順次ラインアイ３３から引き抜かれる。そして、図２の二点鎖線で示すように線状部材３５がラインアイ３３から完全に引き抜かれると、釣糸５３がラインアイ３３に挿通するようになっている。
【００１７】
尚、保持部２３に沿って切断用の小孔を連続的に設けて、保持部２３を容易に切断できるようにしてもよい。
また、図１に示すように線状部材３５は全体が湾曲状に癖付けされており、図２に示すジグヘッド２５の移動時（釣糸５３の糸通し作業時）には直線状に延びるが、線状部材３５がジグヘッド２５のラインアイ３３から完全に引き抜かれると、線状部材３５は再び湾曲形状に戻って、反動で残りのジグヘッド２５のラインアイ３３から抜け出ることがないようになっている。
【００１８】
更にまた、斯様に線状部材３５が湾曲状に形成されていると、ジグヘッド２５が保持部２３から外れても、線状部材３５の弾性により線状部材３５がラインアイ３３から抜けずにその途中に引っ掛かって、ジグヘッド２５が落下することがない。
本実施形態に係る釣具５１はこのように構成されており、既述したように釣具５１は、図１の状態で包装されて店頭で販売されている。
【００１９】
そして、台紙１５に保持されたジグヘッド２５のラインアイ３３に釣糸５３を通すには、図２に示すように保持突片４９から線状部材３５の折返し部４５を外し、折返し部４５側のジグヘッド２５と当該折返し部４５の間の釣糸挿通部４１に釣糸５３を挿通して、当該ジグヘッド２５をそのまま下方へ引っ張ればよく、保持部２３がフック２７で切断されてジグヘッド２５が台紙１５から外れ、これに伴い、線状部材３５が順次ラインアイ３３から引き抜かれる。そして、二点鎖線で示すように線状部材３５がラインアイ３３から完全に引き抜かれると、線状部材３５に案内された釣糸５３がラインアイ３３に挿通する。
【００２０】
釣人はこの後、リング３１に釣糸５３を結び止めればよく、既述したように全体が湾曲状に癖付けされた線状部材３５は、図２に示すジグヘッド２５の移動時（釣糸５３の糸通し作業時）に直線状に延びるものの、ラインアイ３３から完全に引き抜かれると再び湾曲形状に戻るため、反動で残りのジグヘッド２５のラインアイ３３から抜け出ることがない。
【００２１】
また、線状部材３５が湾曲状に形成されているため、ジグヘッド２５が保持部２３から外れても、線状部材３５の弾性で線状部材３５がラインアイ３３から抜けずにその途中に引っ掛かるため、ジグヘッド２５が落下することがない。
このように本実施形態によれば、台紙１５の保持部２３にジグヘッド２５が並列して取り付いている状態で、線状部材３５の折返し部４５側の釣糸挿通部４１内に釣糸５３を挿通して、折返し部４５に近いジグヘッド２５をそのまま下方へ引っ張って台紙１５から取り外すだけのワンタッチ操作でラインアイ３３に釣糸５３を通すことができるので、図７の従来例に比し目の弱い人にとって、また、暗い釣場での作業でも簡単に釣糸５３をラインアイ３３に通すことができると共に、ラインアイ３３に釣糸５３が通るまではラインアイ３３に線状部材３５が挿通しているので、糸通し作業時にジグヘッド２５を落として紛失してしまう虞もない。
【００２２】
また、既述したように図７の従来例では、釣糸通し具１１を忘れてきた場合、もはや釣場で釣糸通し具１１による糸通し作業ができないが、本実施形態は、斯様な釣糸通し具等の道具を別途必要とせず、上述したように台紙１５からのジグヘッド２５の取り外しというワンタッチ操作で釣糸を簡単に通すことができる利点を有する。
そして、糸通し作業時に、線状部材３５が反動で残りのジグヘッド２５のラインアイ３３から抜け出ることもないため、台紙１５に保持された総てのジグヘッド２５に対し、以後もワンタッチ操作で釣糸を簡単に通すことが可能となる。
【００２３】
尚、本実施形態は、１本の線材３７の両端を結びこぶ３９で連結して、線状部材３５の結びこぶ３９側の一端を台紙１５の表面に粘着テープ４３で止着したが、図３に示す請求項１乃至請求項４の第二実施形態に係る釣具５１-1のように、１本の線材３７からなる線状部材３５-1の両端３７ａ，３７ｂを連結せず、両端３７ａ，３７ｂを揃えて台紙１５の表面に粘着テープ４３で止着してもよい。
【００２４】
また、図４に示す請求項１乃至請求項４の第三実施形態に係る釣具５１-2のように、保持部２３に係止した３個のジグヘッド２５のラインアイ３３に連続して挿通する１本の線材３７からなる線状部材３５-2の一端側を折り返し、これを折返し部４５の近傍で結びこぶ５５で連結して釣糸挿通部４１-1を予めラインアイ３３に挿通させないように形成し、線状部材３５-2の他端側を台紙１５の表面に粘着テープ４３で止着してもよい。
【００２５】
而して、これらの釣具５１-1，５１-2による釣糸５３の糸通し作業は図１の釣具５１と同様で、これらの釣具５１-1，５１-2によっても、所期の目的を達成することが可能である。
図５は請求項１乃至請求項４に係る釣具の第四実施形態を示し、本実施形態は、ジグヘッドに代え、他の仕掛けとして３個のよりもどし（スイベル）５７を台紙１５-1の表面に粘着テープ５９で並列させて保持したもので、よりもどし５７の胴部６１の一部と一方のリング６３が粘着テープ５９で台紙１５-1に止着されており、よりもどし５７をそのまま下方へ引っ張ると、よりもどし５７が台紙１５-1から１つずつ取り外せるようになっている。
【００２６】
尚、台紙１５-1は、前記台紙１５と同一材料を用いて薄肉な１枚の板状に形成されている。
そして、よりもどし５７の他方側のリング６５のラインアイ（釣糸取付孔）６７に、図１の実施形態と同一形状の線状部材３５が連続して挿通しており、結びこぶ３９側の一端が台紙１５-1の一側側表面にホチキスの止着片６９で止着され、線状部材３５の折返し部４５側は自由端として、台紙１５-1の他側側表面に粘着テープ７１で保持（仮止め）されている。そして、本実施形態に係る釣具５１-3は、図５に示す状態でパッケージに包装されて店頭で販売されるようになっている。
【００２７】
本実施形態に係る釣具５１-3はこのように構成されているから、当該釣具５１-3を用いてよりもどし５７のラインアイ６７に釣糸を通すには、先ず、線状部材３５の折返し部４５を台紙１５-1から外す。この時、本実施形態に於ても、線状部材３５をラインアイ６７から引き抜いてはいけない。
そして、折返し部４５に近いよりもどし５７と当該折返し部４５の間の釣糸挿通部４１に釣糸の一端を挿通して、当該よりもどし５７をそのまま下方へ引っ張ればよく、よりもどし５７が粘着テープ５９と台紙１５-1の間から外れ、これに伴い、線状部材３５は順次ラインアイ６７から引き抜かれる。そして、線状部材３５がラインアイ６７から完全に引き抜かれると、釣糸がラインアイ６７に挿通する。
【００２８】
また、線状部材３５は全体が湾曲状に癖付けされているため、釣糸の糸通し作業時に線状部材３５は直線状に延びるが、線状部材３５がよりもどし５７のラインアイ６７から完全に引き抜かれると、線状部材３５は再び湾曲形状に戻って、反動で残りのよりもどし５７のラインアイ６７から抜け出ることがない
このように本実施形態によっても、台紙１５-1によりもどし５７が並列して取り付いている状態で、線状部材３５の折返し部４５側の釣糸挿通部４１内に釣糸を挿通して、折返し部４５に近いよりもどし５７をそのまま下方へ引っ張って台紙１５-1から取り外すだけのワンタッチ操作でラインアイ６７に釣糸を通すことができるので、図７の従来例に比し目の弱い人にとって、また、暗い釣場での作業でも簡単に釣糸をラインアイ６７に通すことができると共に、ラインアイ６７に釣糸が通るまではラインアイ６７に線状部材３５が挿通しているので、糸通し作業時によりもどし５７を落として紛失してしまう虞もない等、図１の釣具５１と同様、所期の目的を達成することが可能である。
【００２９】
図６は請求項１乃至請求項４に係る釣具の第五実施形態を示し、図１乃至図４の各実施形態では、保持部２３に係止した３個のジグヘッド２５のラインアイ３３に１つの線状部材３５を連続して挿通させたが、本実施形態に係る釣具５１-4は、台紙１５-2の保持部２３に係止した３個のジグヘッド２５のラインアイ３３毎に、夫々、１つの線状部材３５を挿通させたもので、各線状部材３５の結びこぶ３９側の一端が台紙１５-4の表面に粘着テープ４３で止着され、線状部材３５の折返し部４５側は自由端として、台紙１５-2に設けた切欠き７３に夫々係脱可能に保持（仮止め）されている。
【００３０】
そして、本実施形態に係る釣具５１-2は、図６に示す状態でパッケージに包装されて店頭で販売されるようになっている。
本実施形態はこのように構成されているから、ジグヘッド２５のラインアイ３３に釣糸を通すには、先ず、任意の線状部材３５の折返し部４５を切欠き７３から外す。
そして、折返し部４５とジグヘッド２５の間の釣糸挿通部４１に釣糸の一端を挿通して、ジグヘッド２５をそのまま下方へ引っ張ればよく、保持部２３がフック２７で切断されてジグヘッド２５が台紙１５-2から外れ、これに伴い、線状部材３５が順次ラインアイ３３から引き抜かれる。そして、線状部材３５がラインアイ３３から完全に引き抜かれると、線状部材３５に案内された釣糸がラインアイ３３に挿通することとなる。
【００３１】
このように本実施形態によっても、台紙１５-2にジグヘッド２５が並列して取り付いている状態で、任意の線状部材３５の折返し部４５側の釣糸挿通部４１内に釣糸を挿通して、ジグヘッド２５をそのまま下方へ引っ張って台紙１５-2から取り外すだけのワンタッチ操作でラインアイ３３に釣糸を通すことができるので、図７の従来例に比し目の弱い人にとって、また、暗い釣場での作業でも簡単に釣糸をラインアイ３３に通すことができると共に、ラインアイ３３に釣糸が通るまではラインアイ３３に線状部材３５が挿通しているので、糸通し作業時にジグヘッド２５を落として紛失してしまう虞もない等、図１の釣具５１と同様、所期の目的を達成することが可能である。
【００３２】
而も、本実施形態によれば、例えば台紙１５-2に大中小３種類のジグヘッドを並列，保持しておき、釣場の状況に応じ、これらの中から任意のジグヘッドを選択して糸通し作業が簡単に行える利点を有する。
尚、上述した各実施形態では、線状部材の一端を台紙に止着したが、例えば線状部材の両端を自由端として、一方にラインアイに挿通不能な結びこぶを形成した構造でもよい。
【００３３】
また、基体に保持する仕掛けは、既述したジグヘッドやよりもどしの他、釣針，重り，浮子，浮子環、その他仕掛けに用いる小物類等、釣りに用いる仕掛類であればよい。
【図面の簡単な説明】
【００３４】
【図１】請求項１乃至請求項４の第一実施形態に係る釣具の正面図である。
【図２】図１の釣具による糸通し作業の説明図である。
【図３】請求項１乃至請求項４の第二実施形態に係る釣具の正面図である。
【図４】請求項１乃至請求項４の第三実施形態に係る釣具の正面図である。
【図５】請求項１乃至請求項４の第四実施形態に係る釣具の正面図である。
【図６】請求項１乃至請求項４の第五実施形態に係る釣具の正面図である。
【図７】従来の釣糸通し具の平面図である。
【図８】図７の釣糸通し具の側面図である。
【図９】針穴通し線の針穴挿入操作時の釣糸通し具の平面図である。
【符号の説明】
【００３５】
１５，１５-1，１５-2  台紙
１７  折曲げ部
１９，２１  孔
２３  保持部
２５  ジグヘッド
２７  フック
２９  ラウンドヘッド
３３，６７  ラインアイ
３５，３５-1，３５-2  線状部材
３７  線材
３９，５５  結びこぶ
４１，４１-1  釣糸挿通部
４３，５９，７１  粘着テープ
４５  折返し部
４９  保持突片
５１，５１-1，５１-2，５１-3，５１-4  釣具
５３  釣糸
５７  よりもどし
６９  止着片
７３  切欠き
【図１】
2006345763.tif 000003
【図２】
2006345763.tif 000004
【図３】
2006345763.tif 000005
【図４】
2006345763.tif 000006
【図５】
2006345763.tif 000007
【図６】
2006345763.tif 000008
【図７】
2006345763.tif 000009
【図８】
2006345763.tif 000010
【図９】
2006345763.tif 000011